Podtech/llm-jp-corpus-v4-ja_patent huggingface dataset:
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
車両に搭載される複数の電子制御装置（１９）に書込むデータを管理するセンター装置（３）と、
車両に搭載され、前記複数の電子制御装置と通信を行う車内通信部（１３）と、前記センター装置と無線通信を行う車外通信部（１２）とを有する車載装置（４）とを備える車両情報通信システムにおいて、
前記車載装置（４）は、前記複数の電子制御装置より、各装置の構成に関する構成情報を受信すると、複数の構成情報のデータ値に基づいたハッシュ値を生成し、前記ハッシュ値を前記センター装置に送信し、
前記センター装置は、前記車載装置が搭載された車両に関する構成情報が記憶されている車両側構成情報記憶部（２１３）を有し、前記車載装置より受信したハッシュ値と前記車両側構成情報記憶部に記憶されている車両の構成情報のハッシュ値とを比較して、両者が不一致であれば、前記車載装置に前記構成情報の全てのデータ値の送信を要求するフルデータ送信要求を通知し、
前記車載装置は、前記フルデータ送信要求の通知を受けて、前記構成情報の全てのデータ値を前記センター装置に送信し、
前記センター装置は、前記全てのデータ値を受信すると、そのデータ値に基づいて前記車両側構成情報記憶部に記憶されている構成情報を更新し、
前記車載装置は、書換えの対象となった電子制御装置において、更新データの書換えが完了したタイミングで、前記ハッシュ値を送信する車両情報通信システム。
【請求項２】
車両に搭載される複数の電子制御装置（１９）に書込むデータを管理するセンター装置（３）と、
車両に搭載され、前記複数の電子制御装置と通信を行う車内通信部（１３）と、前記センター装置と無線通信を行う車外通信部（１２）とを有する車載装置（４）とを備える車両情報通信システムにおいて、
前記車載装置（４）は、前記複数の電子制御装置より、各装置の構成に関する構成情報を受信すると、複数の構成情報のデータ値に基づいたハッシュ値を生成し、前記ハッシュ値を前記センター装置に送信し、
前記センター装置は、前記車載装置が搭載された車両に関する構成情報が記憶されている車両側構成情報記憶部（２１３）を有し、前記車載装置より受信したハッシュ値と前記車両側構成情報記憶部に記憶されている車両の構成情報のハッシュ値とを比較して、両者が不一致であれば、前記車載装置に前記構成情報の全てのデータ値の送信を要求するフルデータ送信要求を通知し、
前記車載装置は、前記フルデータ送信要求の通知を受けて、前記構成情報の全てのデータ値を前記センター装置に送信し、
前記センター装置は、前記全てのデータ値を受信すると、そのデータ値に基づいて前記車両側構成情報記憶部に記憶されている構成情報を更新し、
前記構成情報には、各電子制御装置に対するソフトウェアＩＤに加えて、
複数の電子制御装置のグループを示すシステムについて、当該システムに属する何れか１つ以上の電子制御装置のソフトウェアが更新されるのに伴い更新されるシステムＩＤと、車両のソフトウェアＩＤとの少なくとも一方を含む車両情報通信システム。
【請求項３】
前記車載装置は、書換えの対象となった電子制御装置において、更新データの書換えが完了したタイミングで、前記ハッシュ値を送信する請求項２記載の車両情報通信システム。
【請求項４】
前記車載装置は、書換えの対象となる全ての電子制御装置より構成情報を受信し、それら全てのデータ値に基づいたハッシュ値を生成する請求項１から３の何れか一項に記載の車両情報通信システム。
【請求項５】
前記車載装置は、車両のイグニッションスイッチ（３７）がオン又はオフされたタイミングで、前記ハッシュ値を送信する請求項１から４の何れか一項に記載の車両情報通信システム。
【請求項６】
前記構成情報は、電子制御装置のハードウェア及びソフトウェアに関する情報が含まれている請求項１から５の何れか一項に記載の車両情報通信システム。
【請求項７】
前記センター装置は、車両の正規な構成情報が記憶されているセンタ側構成情報記憶部（２０８）を有し、
前記全てのデータ値を受信すると、前記車載装置の構成情報の組合せリストと、前記センタ側構成情報記憶部に記憶されている車両の構成情報の組合せリストとを比較し、前記車載装置のリストの組合せが非正規であると判断すると、異常検知を前記車載装置に送信する請求項１から６の何れか一項に記載の車両情報通信システム。
【請求項８】
前記センター装置は、車両の正規な構成情報が記憶されているセンタ側構成情報記憶部（２０８）を有し、
前記センタ装置は、双方のハッシュ値の比較結果が一致であった際にも、前記車両側構成情報記憶部に記憶される前記車載装置の構成情報の組合せリストと、前記センタ側構成情報記憶部に記憶されている車両の構成情報の組合せリストとを比較し、前記車載装置のリストの組合せが非正規であると判断すると、異常検知を前記車載装置に送信する請求項１から７の何れか一項に記載の車両情報通信システム。
【請求項９】
前記センター装置は、車両のプログラム更新に関する通知情報が記憶されている更新通知情報記憶部（２１７）を備え、
前記車載装置のリストの組合せが正規であると判断すると、前記更新通知情報記憶部を参照し、対応する車両のプログラム更新が有れば、当該通知情報を前記車載装置に送信する請求項１から８の何れか一項に記載の車両情報通信システム。
【請求項１０】
前記車載装置は、生成したハッシュ値を記憶するメモリ（２４ｄ）を備え、
今回生成したハッシュ値と、前記メモリに記憶されているハッシュ値とを比較し、その比較結果が不一致であれば今回生成したハッシュ値を前記センター装置に送信する請求項１から９の何れか一項に記載の車両情報通信システム。
【手続補正２】
【補正対象書類名】明細書
【補正対象項目名】０００７
【補正方法】変更
【補正の内容】
【０００７】
請求項１記載の車両情報通信システムによれば、車載装置は、複数の電子制御装置より、各装置の構成に関する構成情報を受信すると、複数の構成情報のデータ値に基づいたハッシュ値を生成し、そのハッシュ値をセンター装置に送信する。センター装置は、車載装置が搭載された車両に関する構成情報が記憶されている構成情報記憶部を有し、車載装置より受信したハッシュ値と構成情報記憶部に記憶されている車両の構成情報のハッシュ値とを比較する。そして、両者が不一致であれば、車載装置に構成情報の全てのデータ値の送信を要求するフルデータ送信要求を通知する。すると、車載装置は、フルデータ送信要求の通知を受けて、構成情報の全てのデータ値をセンター装置に送信し、センター装置は、全てのデータ値を受信すると、そのデータ値に基づいて構成情報記憶部に記憶されている構成情報を更新する。また、車載装置は、書換えの対象となった電子制御装置において、更新データの書換えが完了したタイミングで、前記ハッシュ値を送信する。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
車両に搭載される複数の電子制御装置（１９）に書込むデータを管理するセンター装置（３）であって、
前記複数の電子制御装置のうち、データを更新する対象となる対象装置の更新データが記憶されている更新データ記憶部（２０４）と、
前記複数の電子制御装置それぞれに対する装置識別及び当該装置に記憶されるデータの識別に関連する車両関連情報が、前記車両の種別と共に記憶されている車両情報記憶部（２０８）と、
前記対象装置の属性及び前記更新データに関連する更新データ関連情報が記憶されている装置関連情報記憶部（２０５）と、
前記車両情報記憶部、及び前記装置関連情報記憶部に記憶された情報に基づいて、前記対象装置の装置種別、前記対象装置の属性、前記対象装置の更新データ関連情報、前記対象装置のデータ更新に関する書換え環境を示す情報を含む諸元データを生成する諸元データ生成部（２０１）と、
前記更新データ取得部により取得した更新データと、前記諸元データとを含む配信パッケージを生成し、パッケージ記憶部（２０６）に記憶するパッケージ生成部（２０２）と
を備え、
前記諸元データ生成部は、前記対象装置が複数である際に、複数の対象装置に対する諸元データを１つのファイルとして生成し、
前記パッケージ生成部は、前記複数の対象装置の更新データと前記ファイルとを含む１つの配信パッケージを生成し、
前記パッケージの生成を完了し車両に対して更新を通知した後、車両からの要求に応じて前記パッケージ記憶部に記憶されたパッケージを配信するパッケージ配信部（２０３）を更に備えるセンター装置。
【請求項２】
前記車両関連情報には、複数の電子制御装置の一部を種別に応じてグルーピングした情報が含まれている請求項１記載のセンター装置。
【請求項３】
前記諸元データ生成部は、前記グルーピングされた複数の対象装置毎に１つの諸元データのファイルを生成し、
前記パッケージ生成部は、前記複数の対象装置のグループ毎に１つの配信パッケージを生成する請求項２記載のセンター装置。
【請求項４】
前記書換え環境を示す情報には、車両に対する書換え環境情報と、対象装置に対する書換え環境情報とが含まれている請求項１から３の何れか一項に記載のセンター装置。
【請求項５】
前記諸元データ生成部は、予め設定された書換え順番の早い対象装置に関する情報から順に、予め定められたデータ構造に従って前記諸元データを生成する請求項１から４の何れか一項に記載のセンター装置。
【請求項６】
車両に搭載される複数の電子制御装置のうち、データを更新する対象となる対象装置に書込む更新データに対応して、前記対象装置の装置種別、前記対象装置の属性、前記対象装置の更新データ関連情報、前記対象装置のデータ更新に関する書換え環境を示す情報を含むように諸元データを生成し、
前記更新データと前記諸元データとを含む配信パッケージを生成して記憶し、
前記対象装置が複数である際に、複数の対象装置に対する諸元データを１つのファイルとして生成し、
前記複数の対象装置の更新データと前記ファイルとを含む１つの配信パッケージを生成し、
前記パッケージの生成を完了し車両に対して更新を通知した後、車両からの要求に応じて記憶したパッケージを配信する配信パッケージ生成方法。
【請求項７】
車両に搭載される複数の電子制御装置に書込むデータを管理するもので、
前記複数の電子制御装置のうち、データを更新する対象となる対象装置の更新データが記憶されている更新データ記憶部と、
前記複数の電子制御装置それぞれに対する装置識別及び当該装置に記憶されるデータの識別に関連する車両関連情報が、前記車両の種別と共に記憶されている車両情報記憶部と、
前記対象装置の属性及び前記更新データに関連する更新データ関連情報が記憶されている装置関連情報記憶部と、
前記更新データ記憶部より、前記対象装置の更新データを取得する更新データ取得部とを有するセンター装置に、
前記車両情報記憶部、及び前記装置関連情報記憶部に記憶された情報に基づいて、前記対象装置の装置種別、前記対象装置の属性、前記対象装置の更新データ関連情報、前記対象装置のデータ更新に関する書換え環境を示す情報を含むように諸元データを生成させ、
前記更新データ取得部により取得された更新データと、前記諸元データとを含む配信パッケージを生成させてパッケージ記憶部に記憶させ、
前記対象装置が複数である際に、複数の対象装置に対する諸元データを１つのファイルとして生成させ、
前記複数の対象装置の更新データと前記ファイルとを含む１つの配信パッケージを生成させ、
前記パッケージの生成を完了し車両に対して更新を通知させた後、車両からの要求に応じて記憶されたパッケージを配信させる配信パッケージ生成用プログラム。
【手続補正２】
【補正対象書類名】明細書
【補正対象項目名】０００７
【補正方法】変更
【補正の内容】
【０００７】
そして、諸元データ生成部は、対象装置に書込む更新データと共に車両へ送信する諸元データを、車両情報記憶部及び装置関連情報記憶部に記憶された情報に基づいて、対象装置の装置種別、対象装置の属性、対象装置の更新データ関連情報、対象装置のデータ更新に関する書換え環境を示す情報を含むように生成する。更に、パッケージ生成部は、更新データ取得部により取得された更新データと、諸元データとを含む配信パッケージを生成してパッケージ記憶部に記憶する。これにより、車両側の装置は、更新データと共に送信される諸元データを受信することで、その諸元データに基づいて対象装置を適切に選択して更新データを書き込むことが可能になる。
また、諸元データ生成部は、対象装置が複数である際に、複数の対象装置に対する諸元データを１つのファイルとして生成し、パッケージ生成部は、複数の対象装置の更新データと前記ファイルとを含む１つの配信パッケージを生成する。パッケージ配信部は、パッケージの生成を完了し車両に対して更新を通知した後、車両からの要求に応じてパッケージ記憶部に記憶されたパッケージを配信する。
【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
電子制御装置におけるプログラムの書換えを制御する車両用マスタ装置（１１）と、前記車両用マスタ装置とデータ通信可能なセンター装置（３）と、を備える車両用プログラム書換えシステム（１）において、
前記車両用マスタ装置は、
プログラムの書換えに係る第１進捗状態を判定する第１進捗状態判定部（８８ａ）と、
前記第１進捗状態判定部により判定された第１進捗状態を前記センター装置に送信する第１進捗状態送信部（８８ｂ）と、
プログラムの書換えに係る第２進捗状態を前記センター装置から取得する第２進捗状態取得部（８８ｃ）と、
前記第１進捗状態判定部により判定された第１進捗状態及び前記第２進捗状態取得部により取得された第２進捗状態に基づいて、車両に搭載されている表示端末において表示可能なコンテンツの作成を指示する第１表示指示部（８８ｄ）と、を備え、
前記センター装置は、
前記第２進捗状態を判定する第２進捗状態判定部（５３ａ）と、
前記第２進捗状態判定部により判定された前記第２進捗状態を前記車両用マスタ装置に送信する第２進捗状態送信部（５３ｂ）と、
前記第１進捗状態を前記車両用マスタ装置から取得する第１進捗状態取得部（５３ｃ）と、
前記第１進捗状態及び前記第２進捗状態に基づいて、携帯端末において表示可能なコンテンツの作成を指示する第２表示指示部（５３ｄ）と、を備える車両用プログラム書換えシステム。
【請求項２】
前記車両用マスタ装置において、前記第１表示指示部がコンテンツの作成を指示すると共に、前記第１進捗状態送信部が第１進捗状態を前記センター装置に送信する請求項１に記載した車両用プログラム書換えシステム。
【請求項３】
前記センター装置において、前記第２表示指示部がコンテンツの作成を指示すると共に、前記第２進捗状態送信部が第２進捗状態を前記車両用マスタ装置に送信する請求項１又は２に記載した車両用プログラム書換えシステム。
【請求項４】
前記第１進捗状態判定部は、第１進捗状態として、書換えに関するフェーズ、車両側でのユーザ操作、処理の進捗のうち少なくとも何れかを判定する請求項１から３の何れか一項に記載した車両用プログラム書換えシステム。
【請求項５】
前記第２進捗状態判定部は、第２進捗状態として、携帯端末でのユーザ操作を判定する請求項１から４の何れか一項に記載した車両用プログラム書換えシステム。
【請求項６】
前記車両用マスタ装置が現在進捗状態を管理する請求項１から５の何れか一項に記載した車両用プログラム書換えシステム。
【請求項７】
センター装置とデータ通信可能であり、電子制御装置におけるプログラムの書換えを制御する車両用マスタ装置（１１）において、
プログラムの書換えに係る第１進捗状態を判定する第１進捗状態判定部（８８ａ）と、
前記第１進捗状態判定部により判定された第１進捗状態を前記センター装置に送信する第１進捗状態送信部（８８ｂ）と、
プログラムの書換えに係る第２進捗状態を前記センター装置から取得する第２進捗状態取得部（８８ｃ）と、
前記第１進捗状態判定部により判定された第１進捗状態及び前記第２進捗状態取得部により取得された第２進捗状態に基づいて、車両に搭載されている表示端末において表示可能なコンテンツの作成を指示する第１表示指示部（８８ｄ）と、を備える車両用マスタ装置。
【請求項８】
前記車両用マスタ装置において、前記第１表示指示部がコンテンツの作成を指示すると共に、前記第１進捗状態送信部が第１進捗状態を前記センター装置に送信する請求項７に記載した車両用マスタ装置。
【請求項９】
前記第１進捗状態判定部は、第１進捗状態として、書換えに関するフェーズ、車両側でのユーザ操作、処理の進捗のうち少なくとも何れかを判定する請求項７又は８に記載した車両用マスタ装置。
【請求項１０】
現在進捗状態を管理する請求項７から９の何れか一項に記載した車両用マスタ装置。
【請求項１１】
センター装置とデータ通信可能であり、電子制御装置におけるプログラムの書換えを制御する車両用マスタ装置（１１）において、
プログラムの書換えに係る第１進捗状態を判定する第１進捗状態判定手順と、
前記第１進捗状態判定手順により判定した第１進捗状態を前記センター装置に送信する第１進捗状態送信手順と、
プログラムの書換えに係る第２進捗状態を前記センター装置から取得する第２進捗状態取得手順と、
前記第１進捗状態判定手順により判定した第１進捗状態及び前記第２進捗状態取得手順により取得した第２進捗状態に基づいて、車両に搭載されている表示端末において表示可能なコンテンツの作成を指示する第１表示指示手順と、を行う進捗状態の同期制御方法。
【請求項１２】
センター装置とデータ通信可能であり、電子制御装置におけるプログラムの書換えを制御する車両用マスタ装置（１１）に、
プログラムの書換えに係る第１進捗状態を判定する第１進捗状態判定手順と、
前記第１進捗状態判定手順により判定した第１進捗状態を前記センター装置に送信する第１進捗状態送信手順と、
プログラムの書換えに係る第２進捗状態を前記センター装置から取得する第２進捗状態取得手順と、
前記第１進捗状態判定手順により判定した第１進捗状態及び前記第２進捗状態取得手順により取得した第２進捗状態に基づいて、車両に搭載されている表示端末において表示可能なコンテンツの作成を指示する第１表示指示手順と、を実行させる進捗状態の同期制御プログラム。
【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
アプリプログラム又はパラメータデータのうち少なくとも何れかがそれぞれ格納されている第１データ格納面と第２データ格納面とを有する不揮発性メモリを備える電子制御装置（１９）において、
運用面である第１データ格納面に格納されているアプリプログラム又はパラメータデータのうち少なくとも何れかを動作させると共に、外部装置から取得した更新データを非運用面である第２データ格納面に書込んで第２データ格納面を書換えるインストール実行部（１０４ｆ）と、
運用面を第１データ格納面から第２データ格納面に切替えるアクティベート実行部（１０４ｇ）と、を備え、
前記インストール実行部は、車両が走行可能中又は駐車中における他の電子制御装置からの通知により第２データ格納面を書換え、
前記アクティベート実行部は、駐車中における他の電子制御装置からの通知により運用面を第１データ格納面から第２データ格納面に切替える電子制御装置。
【請求項２】
アプリプログラム又はパラメータデータのうち少なくとも何れかがそれぞれ格納されている第１データ格納面と第２データ格納面とを有する不揮発性メモリを備える電子制御装置（１９）において、
運用面である第１データ格納面に格納されているアプリプログラム又はパラメータデータのうち少なくとも何れかを動作させると共に、車両が走行可能中又は駐車中における他の電子制御装置からの通知により、外部装置から取得した更新データを非運用面である第２データ格納面に書込んで第２データ格納面を書換えるインストール実行手順と、
駐車中における他の電子制御装置からの通知により、運用面を第１データ格納面から第２データ格納面に切替えるアクティベート実行手順と、を行う書換えの実行制御方法。
【請求項３】
アプリプログラム又はパラメータデータのうち少なくとも何れかがそれぞれ格納されている第１データ格納面と第２データ格納面とを有する不揮発性メモリを備える電子制御装置（１９）に、
運用面である第１データ格納面に格納されているアプリプログラム又はパラメータデータのうち少なくとも何れかを動作させると共に、車両が走行可能中又は駐車中における他の電子制御装置からの通知により、外部装置から取得した更新データを非運用面である第２データ格納面に書込んで第２データ格納面を書換えるインストール実行手順と、
駐車中における他の電子制御装置からの通知により、運用面を第１データ格納面から第２データ格納面に切替えるアクティベート実行手順と、を実行させる書換えの実行制御プログラム。
【手続補正２】
【補正対象書類名】明細書
【補正対象項目名】０００６
【補正方法】変更
【補正の内容】
【０００６】
請求項１に記載した電子制御装置（１９）によれば、インストール実行部（１０４ａ）は、運用面である第１データ格納面に格納されているアプリプログラム又はパラメータデータを動作させると共に、外部装置から取得した更新データを非運用面である第２データ格納面に書込んで第２データ格納面を書換える。アクティベート実行部（１０４ｂ）は、運用面を第１データ格納面から第２データ格納面に切替える。インストール実行部は、車両が走行可能中又は駐車中における他の電子制御装置からの通知により第２データ格納面を書換える。アクティベート実行部は、駐車中における他の電子制御装置からの通知により運用面を第１データ格納面から第２データ格納面に切替える。
【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
制御プログラムを記憶する記憶部と、前記制御プログラムを実行して各種処理を行うことで動作を制御するマイコンと、データ通信を制御するデータ転送部と、を備える書換え対象の電子制御装置とデータ通信可能に設けられ、外部から更新データを取得し、その取得した更新データを書換え対象の電子制御装置に配信し、プログラムの書換えを書換え対象の電子制御装置に指示する車両用マスタ装置（１１）において、
複数の書換え対象の電子制御装置を特定する書換え対象特定部（８４ａ）と、
前記書換え対象特定部により特定された複数の書換え対象の電子制御装置の全てにおいてプログラムの書換えが完了したか否かを判定する書換え完了判定部（８４ｂ）と、
複数の書換え対象の電子制御装置の全てにおいてプログラムの書換えが完了したと前記書換え完了判定部により判定された場合に、アクティベートを実行可能であるか否かを判定するアクティベート実行可能判定部（８４ｃ）と、
アクティベートを実行可能であると前記アクティベート実行可能判定部により判定された場合に、アクティベート要求を複数の書換え対象の電子制御装置に同時に指示するアクティベート要求指示部（８４ｄ）と、を備える車両用マスタ装置。
【請求項２】
アクティベート実行可能判定部は、ユーザによる承諾が行われている場合に、アクティベートを実行可能であると判定する請求項１に記載した車両用マスタ装置。
【請求項３】
アクティベート実行可能判定部は、車両が駐車状態の場合に、アクティベートを実行可能であると判定する請求項１に記載した車両用マスタ装置。
【請求項４】
前記書換え対象特定部は、フラッシュ面を１面で持つ１面単独メモリ、フラッシュ面を疑似的な２面で持つ１面サスペンドメモリ、フラッシュ面を実質的な２面で持つ２面メモリのうち種別が異なる複数の書換え対象の電子制御装置を特定する請求項１から３の何れか一項に記載した車両用マスタ装置。
【請求項５】
外部から更新データを取得し、その取得した更新データを書換え対象の電子制御装置に配信し、プログラムの書換えを書換え対象の電子制御装置に指示する車両用マスタ装置（１１）と、制御プログラムを記憶する記憶部と、前記制御プログラムを実行して各種処理を行うことで動作を制御するマイコンと、データ通信を制御するデータ転送部と、第１データ格納面と第２データ格納面とを含む不揮発性メモリを備え、車両用マスタ装置から更新データを受信し、その受信した更新データを前記第２データ格納面に書込み、前記第２データ格納面のプログラムを書換える電子制御装置（１９）と、を備える車両用電子制御システム（１）において、
前記車両用マスタ装置は、
複数の書換え対象の電子制御装置を特定する書換え対象特定部（８４ａ）と、
前記書換え対象特定部により特定された複数の書換え対象の電子制御装置の全てにおいてプログラムの書換えが完了したか否かを判定する書換え完了判定部（８４ｂ）と、
複数の書換え対象の電子制御装置の全てにおいてプログラムの書換えが完了したと前記書換え完了判定部により判定された場合に、アクティベートを実行可能であるか否かを判定するアクティベート実行可能判定部（８４ｃ）と、
アクティベートを実行可能であると前記アクティベート実行可能判定部により判定された場合に、アクティベート要求を複数の書換え対象の電子制御装置に同時に指示するアクティベート要求指示部（８４ｄ）と、を備える車両用電子制御システム。
【請求項６】
制御プログラムを記憶する記憶部と、前記制御プログラムを実行して各種処理を行うことで動作を制御するマイコンと、データ通信を制御するデータ転送部と、を備える書換え対象の電子制御装置とデータ通信可能に設けられ、外部から更新データを取得し、その取得した更新データを書換え対象の電子制御装置に配信し、プログラムの書換えを書換え対象の電子制御装置に指示する車両用マスタ装置（１１）において、
複数の書換え対象の電子制御装置を特定する書換え対象特定手順と、
前記書換え対象特定手順により特定した複数の書換え対象の電子制御装置の全てにおいてプログラムの書換えが完了したか否かを判定する書換え完了判定手順と、
複数の書換え対象の電子制御装置の全てにおいてプログラムの書換えが完了したと前記書換え完了判定手順により判定した場合に、アクティベートを実行可能であるか否かを判定するアクティベート実行可能判定手順と、
アクティベートを実行可能であると前記アクティベート実行可能判定手順により判定した場合に、アクティベート要求を複数の書換え対象の電子制御装置に同時に指示するアクティベート要求指示手順と、を行うアクティベート要求の指示方法。
【請求項７】
制御プログラムを記憶する記憶部と、前記制御プログラムを実行して各種処理を行うことで動作を制御するマイコンと、データ通信を制御するデータ転送部と、を備える書換え対象の電子制御装置とデータ通信可能に設けられ、外部から更新データを取得し、その取得した更新データを書換え対象の電子制御装置に配信し、プログラムの書換えを書換え対象の電子制御装置に指示する車両用マスタ装置（１１）に、
複数の書換え対象の電子制御装置を特定する書換え対象特定手順と、
前記書換え対象特定手順により特定した複数の書換え対象の電子制御装置の全てにおいてプログラムの書換えが完了したか否かを判定する書換え完了判定手順と、
複数の書換え対象の電子制御装置の全てにおいてプログラムの書換えが完了したと前記書換え完了判定手順により判定した場合に、アクティベートを実行可能であるか否かを判定するアクティベート実行可能判定手順と、
アクティベートを実行可能であると前記アクティベート実行可能判定手順により判定した場合に、アクティベート要求を複数の書換え対象の電子制御装置に同時に指示するアクティベート要求指示手順と、を実行させるアクティベート要求の指示プログラム。
【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
ユーザが入力した、自治体サービスに関する質問に対応する自治体リンク先情報を選択する制御部と、
制御部で選択された自治体リンク先情報を、前記質問に対する回答として出力する出力部と、
を備える情報処理装置。
【請求項２】
制御部は、自治体のサイトを介してユーザが入力した、自治体サービスに関する質問に対応する自治体リンク先情報を選択する請求項１に記載の情報処理装置。
【請求項３】
自治体のサイトにアクセスしたという情報を識別情報として、ユーザの利用する自治体を識別する識別部を備える請求項１又は２に記載の情報処理装置。
【請求項４】
ユーザの利用する自治体を識別する識別部と、
ユーザが入力した、自治体サービスに関する質問に対応する自治体リンク先情報を選択する制御部と、
制御部で選択された自治体リンク先情報を、前記質問に対する回答として出力する出力部と、
を備える情報処理装置。
【請求項５】
出力部は、ユーザからの自治体サービスに関する質問に対して選択肢による入力を促し、選択肢による入力を受けた後で自治体リンク先情報を出力する機能を有する、請求項１乃至４のいずれか１項に記載の情報処理装置。
【請求項６】
制御部は、ユーザから入力された質問に対応する共通質問に紐づけられた自治体リンク先情報又はユーザによって選択された選択肢に対応する自治体リンク先情報を選択する、請求項１乃至５のいずれか１項に記載の情報処理装置。
【請求項７】
チャットボット機能を有し、
ユーザからの質問及び当該質問に対する回答を繰り返すことで得られた情報に基づいて、制御部は適切な自治体リンク先情報を選択する、請求項１乃至６のいずれか１項に記載の情報処理装置。
【請求項８】
ユーザからの質問を入力するための入力部と、
前記質問に対応するサーバからの回答を表示する表示部と、
を備え、
前記回答には自治体リンク先情報が含まれ、
質問の入力と当該質問への回答の往復を１回以上繰り返すことで、前記表示部が自治体リンク先情報を表示する端末。
【請求項９】
ユーザが入力した、自治体サービスに関する質問に対応する自治体リンク先情報を選択する工程と、
出力部によって、制御部で選択された自治体リンク先情報を、前記質問に対する回答として出力する工程と、
を備える情報処理方法。
【請求項１０】
情報処理装置にインストールするためのプログラムであって、
プログラムをインストールされた情報処理装置に、
ユーザが入力した、自治体サービスに関する質問に対応する自治体リンク先情報を選択する機能と、
選択された自治体リンク先情報を、前記質問に対する回答として出力する機能と、
を実行させる、プログラム。
【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
外部から更新データを取得し、その取得した更新データを書換え対象の電子制御装置に配信する表示制御装置（１１）において、
書換え対象の電子制御装置が有する第１データ格納面及び第２データ格納面のうち第２データ格納面に記憶されている第１更新データを、第１データ格納面を動作面とした状態で、外部装置から取得された第２更新データに書換えるプログラムの書換えに関し、キャンセルを検出するキャンセル検出部（８７ａ）と、
第２更新データを書換え対象の電子制御装置に配信し、第２更新データの書込みを指示する書込み指示部（８７ｂ）と、
プログラムの書換えに関する進捗状況の報知を指示する報知指示部（８７ｃ）と、を備え、
前記報知指示部は、前記書込み指示部により第２更新データを配信中に、プログラムの書換えに関する進捗状況を第１態様により報知するように指示し、前記キャンセル検出部によりキャンセルを検出した場合に、プログラムの書換えに関する進捗状況を第２態様により報知するように指示し、
前記書込み指示部は、前記書込み指示部により第２更新データを配信中に、前記キャンセル検出部によりキャンセルを検出した場合に、第２更新データの配信を継続する表示制御装置。
【請求項２】
前記報知指示部は、前記キャンセル検出部によりキャンセルを検出した場合に、プログラムの書換えに関する進捗状況を第２態様により報知するように指示し、その後、プログラムの書換えに関する進捗状況を第３態様により報知するように指示する請求項１に記載した表示制御装置。
【請求項３】
前記報知指示部は、書換え対象の電子制御装置における第２更新データの書込みと第１更新データの書戻しとを区別して報知するように指示する請求項１又は２に記載した表示制御装置。
【請求項４】
前記報知指示部は、書換え対象の電子制御装置における第２更新データの書込みと第１更新データの書戻しとを区別せずに報知するように指示する請求項１又は２に記載した表示制御装置。
【請求項５】
前記報知指示部は、書換え対象の電子制御装置が複数の場合に、書換え対象の電子制御装置毎のプログラムの書換えに関する進捗状況の報知を指示する請求項１から４の何れか一項に記載した表示制御装置。
【請求項６】
前記報知指示部は、書換え対象の電子制御装置が複数の場合に、その複数の書換え対象の電子制御装置におけるプログラムの書換えを１つとして進捗状況の報知を指示する請求項１から４の何れか一項に記載した表示制御装置。
【請求項７】
前記報知指示部は、第２更新データの書込みを完了すると、キャンセルに対する処理を完了した旨の報知を指示する請求項１から６の何れか一項に記載した表示制御装置。
【請求項８】
外部から更新データを取得し、その取得した更新データを書換え対象の電子制御装置に配信する表示制御装置（１１）において、
書換え対象の電子制御装置が有する第１データ格納面及び第２データ格納面のうち第２データ格納面に記憶されている第１更新データを、第１データ格納面を動作面とした状態で、外部装置から取得された第２更新データに書換えるプログラムの書換えに関し、キャンセルを検出するキャンセル検出手順と、
第２更新データを配信中に、プログラムの書換えに関する進捗状況を第１態様により報知するように指示し、前記キャンセル検出手順によりキャンセルを検出した場合に、プログラムの書換えに関する進捗状況を第２態様により報知するように指示する報知指示手順と、を行う書換え進捗状況の表示制御方法。
【請求項９】
外部から更新データを取得し、その取得した更新データを書換え対象の電子制御装置に配信する表示制御装置（１１）に、
書換え対象の電子制御装置が有する第１データ格納面及び第２データ格納面のうち第２データ格納面に記憶されている第１更新データを、第１データ格納面を動作面とした状態で、外部装置から取得された第２更新データに書換えるプログラムの書換えに関し、キャンセルを検出するキャンセル検出手順と、
第２更新データを配信中に、プログラムの書換えに関する進捗状況を第１態様により報知するように指示し、前記キャンセル検出手順によりキャンセルを検出した場合に、プログラムの書換えに関する進捗状況を第２態様により報知するように指示する報知指示手順と、を実行させる書換え進捗状況の表示制御プログラム。
【手続補正２】
【補正対象書類名】明細書
【補正対象項目名】０００６
【補正方法】変更
【補正の内容】
【０００６】
請求項１に記載した車両用マスタ装置（１１）によれば、外部から更新データを取得し、その取得した更新データを書換え対象の電子制御装置に配信する。キャンセル検出部（８７ａ）は、書換え対象の電子制御装置が有する第１データ格納面及び第２データ格納面のうち第２データ格納面に記憶されている第１更新データを、第１データ格納面を動作面とした状態で、外部装置から取得された第２更新データに書換えるプログラムの書換えに関し、キャンセルを検出する。書込み指示部（８７ｂ）は、第２更新データを書換え対象の電子制御装置に配信し、第２更新データの書込みを指示する。報知指示部（８７ｃ）は、プログラムの書換えに関する進捗状況の報知を指示する。報知指示部は、書込み指示部により第２更新データを配信中に、プログラムの書換えに関する進捗状況を第１態様により報知するように指示し、キャンセル検出部によりキャンセルを検出すると、プログラムの書換えに関する進捗状況を第２態様により報知するように指示する。書込み指示部は、書込み指示部により第２更新データを配信中に、キャンセル検出部によりキャンセルを検出した場合に、第２更新データの配信を継続する。
【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
複数の検出電極から複数の検出信号を取得し、複数の第１搬送波を前記複数の検出信号で変調することで複数の第１ミキサ出力信号を生成し、前記複数の第１ミキサ出力信号を結合するように構成された検出回路部と、
結合された前記複数の第１ミキサ出力信号に基づいてノイズを検出するように構成された処理回路部と、
を備える
半導体装置。
【請求項２】
前記複数の検出信号が、前記複数の検出電極のうちの第１検出電極に対応する第１検出信号を備え、
前記複数の第１搬送波を変調することが、前記複数の検出信号を得るために前記複数の検出電極に印加される駆動信号の第１バーストの間に前記複数の第１搬送波のうちの第１の搬送波を前記第１検出信号で変調することを含み、
前記第１の搬送波が前記駆動信号と位相が異なっている、
請求項１に記載の半導体装置。
【請求項３】
前記複数の検出信号が、更に、前記複数の検出電極のうちの第２検出電極に対応する第２検出信号を備え、
前記複数の第１搬送波を変調することは、前記第１バーストの間に、前記複数の第１搬送波のうちの第２の搬送波を前記第２検出信号で変調することを含む
請求項２に記載の半導体装置。
【請求項４】
前記検出回路部が、更に、
前記駆動信号の第２バーストの間に複数の第２搬送波のうちの第３の搬送波を前記第１検出信号で変調し、前記第２バーストの間に前記複数の第２搬送波のうちの第４の搬送波を前記第２検出信号で変調することによって複数の第２ミキサ出力信号を生成するように構成された
請求項３に記載の半導体装置。
【請求項５】
前記第４の搬送波は、前記駆動信号と同相であるか、前記駆動信号と第１の量だけ位相が異なっている、
請求項４に記載の半導体装置。
【請求項６】
前記第２の搬送波は、前記駆動信号と同相であるか、前記駆動信号と前記第１の量だけ位相が異なっている、
請求項５に記載の半導体装置。
【請求項７】
前記検出回路部は、更に、前記複数の第２ミキサ出力信号を結合するように構成されており、
前記処理回路部は、更に、結合された前記複数の第２ミキサ出力信号に基づいて物体を検出するように構成された
請求項４に記載の半導体装置。
【請求項８】
前記第１の搬送波の位相は、前記駆動信号の位相から第３の量又は第４の量だけずれている
請求項３に記載の半導体装置。
【請求項９】
前記処理回路部は、
結合された前記第１ミキサ出力信号を復調するように構成されたデジタル復調器と、
前記デジタル復調器の出力に基づいて第１デジタル出力を生成するように構成されたデコーダと、
を備える
請求項１に記載の半導体装置。
【請求項１０】
複数の検出電極と、
前記複数の検出電極から複数の検出信号を取得し、複数の第１搬送波を前記複数の検出信号で変調することで複数の第１ミキサ出力信号を生成し、前記複数の第１ミキサ出力信号を結合するように構成された検出回路部と、
結合された前記複数の第１ミキサ出力信号に基づいてノイズを検出するように構成された処理回路部と、
を備える
容量センシングシステム。
【請求項１１】
前記複数の検出信号が、前記複数の検出電極のうちの第１検出電極に対応する第１検出信号を備え、
前記複数の第１搬送波を変調することが、前記複数の検出信号を得るために前記複数の検出電極に印加される駆動信号の第１バーストの間に前記複数の第１搬送波のうちの第１の搬送波を前記第１検出信号で変調することを含み、
前記第１の搬送波が前記駆動信号と位相が異なっている、
請求項１０に記載の容量センシングシステム。
【請求項１２】
前記複数の検出信号が、更に、前記複数の検出電極のうちの第２検出電極に対応する第２検出信号を備え、
前記複数の第１搬送波を変調することは、前記第１バーストの間に、前記複数の第１搬送波のうちの第２の搬送波を前記第２検出信号で変調することを含む
請求項１１に記載の容量センシングシステム。
【請求項１３】
前記検出回路部が、更に、
前記駆動信号の第２バーストの間に複数の第２搬送波のうちの第３の搬送波を前記第１検出信号で変調し、前記第２バーストの間に前記複数の第２搬送波のうちの第４の搬送波を前記第２検出信号で変調することによって複数の第２ミキサ出力信号を生成し、前記複数の第２ミキサ出力信号を結合するように構成され、
前記処理回路部は、更に、結合された前記複数の第２ミキサ出力信号に基づいて物体を検出するように構成された
請求項１２に記載の容量センシングシステム。
【請求項１４】
前記第２の搬送波は、前記駆動信号と同相であるか、前記駆動信号と第１の量だけ位相が異なっており、
前記第４の搬送波は、前記駆動信号と同相であるか、前記駆動信号と前記第１の量だけ位相が異なっている、
請求項１３に記載の容量センシングシステム。
【請求項１５】
前記第１の搬送波の位相は、前記駆動信号の位相から第３の量又は第４の量だけずれており、
前記第２の搬送波の位相は、前記駆動信号の位相から前記第３の量又は前記第４の量だけずれている
請求項１２に記載の容量センシングシステム。
【請求項１６】
複数の検出電極から複数の検出信号を取得することと、
複数の第１搬送波を前記複数の検出信号で変調することで複数の第１ミキサ出力信号を生成することと、
前記複数の第１ミキサ出力信号を結合することと、
結合された前記複数の第１ミキサ出力信号に基づいてノイズを検出することと、
を含む
容量センシングのための方法。
【請求項１７】
前記複数の検出信号が、
前記複数の検出電極のうちの第１検出電極に対応する第１検出信号と、
前記複数の検出電極のうちの第２検出電極に対応する第２検出信号と、
を備え、
前記複数の第１搬送波を変調することが、
前記複数の検出電極に印加される駆動信号の第１バーストの間に前記複数の第１搬送波のうちの第１の搬送波を前記第１検出信号で変調することと、
前記第１バーストの間に、前記複数の第１搬送波のうちの第２の搬送波を前記第２検出信号で変調することと、
を含む
請求項１６に記載の方法。
【請求項１８】
更に、
前記駆動信号の第２バーストの間に複数の第２搬送波のうちの第３の搬送波を前記第１検出信号で変調し、前記第２バーストの間に前記複数の第２搬送波のうちの第４の搬送波を前記第２検出信号で変調することによって複数の第２ミキサ出力信号を生成することを含み、
前記第３の搬送波は前記駆動信号と同相であるか、前記駆動信号と第１の量だけ位相が異なっている
請求項１７に記載の方法。
【請求項１９】
前記第２の搬送波の位相は、前記駆動信号と同相であるか、前記駆動信号と前記第１の量だけ位相が異なっており、
前記第４の搬送波の位相は、前記駆動信号と同相であるか、前記駆動信号と前記第１の量だけ位相が異なっている
請求項１８に記載の方法。
【請求項２０】
更に、
前記複数の第２ミキサ出力信号を結合することと、
結合された前記複数の第２ミキサ出力信号に基づいて物体を検出することと、
を含む
請求項１８に記載の方法。
【手続補正書】
【提出日】令和3年9月30日(2021.9.30)
【手続補正１】
【補正対象書類名】特許請求の範囲
【補正対象項目名】全文
【補正方法】変更
【補正の内容】
【特許請求の範囲】
【請求項１】
所定の場所へ移動する車両に乗車している又は乗車が予定されているユーザである第１ユーザの数を取得することと、
前記第１ユーザとは異なるユーザである第２ユーザが前記車両に同乗し前記所定の場所へ移動するのに要する費用を前記第１ユーザの数に基づいて設定することと、
前記第２ユーザに対して前記費用に関する情報を提供することと、
を実行する制御部を備える情報処理装置。
【請求項２】
前記制御部は、
前記車両が前記所定の場所へ移動するときに予定されている経路から所定範囲内に存在している前記第２ユーザに対して前記費用に関する情報を提供する、
請求項１に記載の情報処理装置。
【請求項３】
前記制御部は、
前記車両の移動経路から所定範囲内に存在する前記第２ユーザに対して前記費用に関する情報を提供する、
請求項１に記載の情報処理装置。
【請求項４】
前記制御部は、
前記第２ユーザが前記車両に同乗する場合に、前記第２ユーザが同乗可能な移動経路を前記車両内で表示させる、
請求項１から３の何れか１項に記載の情報処理装置。
【請求項５】
コンピュータが、
所定の場所へ移動する車両に乗車している又は乗車が予定されているユーザである第１ユーザの数を取得し、
前記第１ユーザとは異なるユーザである第２ユーザが前記車両に同乗し前記所定の場所へ移動するのに要する費用を前記第１ユーザの数に基づいて設定し、
前記第２ユーザに対して前記費用に関する情報を提供する、
ことを含む情報処理方法。
【請求項６】
コンピュータに、
所定の場所へ移動する車両に乗車している又は乗車が予定されているユーザである第１ユーザの数を取得することと、
前記第１ユーザとは異なるユーザである第２ユーザが前記車両に同乗し前記所定の場所へ移動するのに要する費用を前記第１ユーザの数に基づいて設定することと、
前記第２ユーザに対して前記費用に関する情報を提供することと、
を実行させるプログラム。
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
グラフ上の畳み込みニューラルネットワークを実行する、計算機システムであって、
１以上のプロセッサと、
１以上の記憶装置と、を含み、
前記グラフ上の畳み込みニューラルネットワークは、
１以上の畳み込み層と、
１以上のプーリング層と、を含み、
前記１以上の記憶装置は、前記１以上の畳み込み層のカーネルの重みデータを格納し、
前記１以上のプロセッサは、
各畳み込み層において、各ノードの値を、所定ホップ数のサイズを有するカーネルに基づく畳み込み演算によって、更新し、
各プーリング層において、各ノードの値を、各ノードの値及び各ノードから所定ホップ数のプーリング範囲内のノードの値に基づくプーリング処理によって、更新し、
プーリング層の後段の畳み込み層のカーネルのサイズは、前記プーリング層の前段の畳み込み層のカーネルのサイズよりも大きい、計算機システム。
【請求項２】
請求項１に記載の計算機システムであって、
畳み込み層の後段のプーリング層のプーリング範囲は、前記畳み込み層の前段のプーリング層のプーリング範囲よりも広い、計算機システム。
【請求項３】
請求項１に記載の計算機システムであって、
前記１以上のプロセッサは、前記所定ホップ数のプーリング範囲のプーリング処理を、１ホップ範囲のプーリング処理を前記所定ホップ数と一致する回数だけ繰り返すことで行う、計算機システム。
【請求項４】
請求項１に記載の計算機システムであって、
前記１以上のプロセッサは、前記グラフ上の畳み込みニューラルネットワークの誤差逆伝播学習において、誤差関数に前記１以上の畳み込み層の正則化項を含める、計算機システム。
【請求項５】
請求項１に記載の計算機システムであって、
前記１以上のプロセッサは、前記プーリング処理において、入力値にスムースマキシマムを適用した後に平均値プーリングを行う、計算機システム。
【請求項６】
請求項１に記載の計算機システムであって、
前記１以上のプロセッサは、前記１以上の畳み込み層及び前記１以上のプーリング層の後段において、全域平均プーリングを実行する、計算機システム。
【請求項７】
請求項１に記載の計算機システムであって、
前記計算機システムは、ネットワークにより接続された複数のサブシステムを含み、
前記複数のサブシステムのそれぞれは、前記複数のサブシステムにおいて隣接するサブシステムとのみ通信を行い、
前記複数のサブシステムのそれぞれは、前記グラフ上の畳み込みニューラルネットワークにおいて、同一位置のニューロンからなるカラムの計算を行う、計算機システム。
【請求項８】
請求項７に記載の計算機システムであって、
前記複数のサブシステムのそれぞれは、
前記カラムの値を示す内部状態ベクトルを保持し、
隣接サブシステムを含む他のサブシステムから前記内部状態ベクトルを取得し、
自内部状態ベクトル及び前記他のサブシステムの内部状態ベクトルを使用して前記カラムの計算を行う、計算機システム。
【請求項９】
請求項７に記載の計算機システムであって、
前記複数のサブシステムは、前記１以上の畳み込み層及び前記１以上のプーリング層の後段において、分散で前記カラムの値の平均値を計算する、計算機システム。
【請求項１０】
請求項７に記載の計算機システムであって、
前記複数のサブシステムのそれぞれは、
他のサブシステムから独立して、誤差逆伝播による学習によって前記１以上の畳み込み層の重みを更新し、
前記更新した重みの平均値を前記他のサブシステムとの通信により計算する、計算機システム。
【請求項１１】
計算機システムが、グラフ上の畳み込みニューラルネットワークを実行する、方法であって、
前記計算機システムは、
１以上のプロセッサと、
１以上の記憶装置と、を含み、
前記グラフ上の畳み込みニューラルネットワークは、
１以上の畳み込み層と、
１以上のプーリング層と、を含み、
前記１以上の記憶装置は、前記１以上の畳み込み層のカーネルの重みデータを格納し、
前記方法は、
各畳み込み層において、各ノードの値を、所定ホップ数のサイズを有するカーネルに基づく畳み込み演算によって、更新し、
各プーリング層において、各ノードの値を、各ノードの値及び各ノードから所定ホップ数のプーリング範囲内のノードの値に基づくプーリング処理によって、更新し、
プーリング層の後段の畳み込み層のカーネルのサイズは、前記プーリング層の前段の畳み込み層のカーネルのサイズよりも大きい、方法。
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
有底筒状の容器本体と、この容器本体の開口部に装着される有天筒状の蓋体と、この蓋体に装着されたパッキンとを有する密閉容器であって、
前記パッキンは、前記蓋体に設けられるパッキン本体と、このパッキン本体に前記蓋体の軸方向に離間し、かつ径方向に突出して設けられた可撓性を有する３つのリング状突出部とを有し、
３つの前記リング状突出部は、前記蓋体の天板部に前記軸方向において近いものほど、外周部の直径が短く
前記蓋体の前記天板部から前記軸方向において最も離間している前記リング状突出部の外周部は、前記容器本体の内周面に密接し、それ以外の前記リング状突出部の外周部は、前記容器本体の内周面から径方向に離間しており、さらに前記容器本体の開口縁部に径方向内側に張り出すようにして形成されたリング状の張出部の先端縁より径方向外側に位置していることを特徴とする密閉容器。
【請求項２】
前記パッキン本体は、前記リング状突出部より前記天板部の側に位置する面板部を有し、
前記面板部に、前記容器本体の前記張出部が密接していることを特徴とする請求項１に記載の密閉容器。
【請求項３】
有底筒状の容器本体の開口部に装着される有天筒状の蓋体に装着されるパッキンであって、
前記蓋体に設けられるパッキン本体と、このパッキン本体に前記蓋体の軸方向に離間し、かつ径方向に突出して設けられた可撓性を有する３つのリング状突出部とを有し、
３つの前記リング状突出部は、前記蓋体の天板部に前記軸方向において近いものほど、外周部の直径が短く、
当該パッキンが装着された前記蓋体が前記容器本体の前記開口部に装着された際に、前記蓋体の前記天板部から前記軸方向において最も離間している前記リング状突出部の外周部は、前記容器本体の内周面に密接し、それ以外の前記リング状突出部の外周部は、前記容器本体の内周面から径方向に離間しており、さらに前記容器本体の開口縁部に径方向内側に張り出すようにして形成されたリング状の張出部の先端縁より径方向外側に位置していることを特徴とするパッキン。
【請求項４】
前記パッキン本体は前記蓋体の内面に密着する面板部を有していることを特徴とする請求項３に記載のパッキン。
【請求項５】
有天筒状の蓋体と、この蓋体の内側に装着された請求項３または４に記載のパッキンとを備えたことを特徴とするパッキン付き蓋体。
【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
電動垂直離着陸機（１００）に搭載されている電駆動システム（１０）の動作確認用装置（７０）であって、
前記電駆動システムは、前記電動垂直離着陸機が有する回転翼を駆動させるモータを含み、
前記動作確認用装置は、
地面との固定部（７１）と、
前記電駆動システムと直接的に又は前記電動垂直離着陸機の機体（２０）を介して間接的に連結するための連結部（７２）と、
地面との固定位置を調整するための位置調整部（７８）と、
を備え、
前記位置調整部は、車輪とストッパーとを有するキャスターにより構成され、前記車輪を回転させて前記固定位置を調整し、前記ストッパーにより前記車輪の回転を止めることによって、前記動作確認用装置を地面に固定する、動作確認用装置。
【請求項２】
請求項１に記載の動作確認用装置において、
前記電駆動システムに対する指令値と、前記電駆動システムの出力値と、を取得する取得部（７６ｃ）と、
取得された前記指令値と前記出力値との差分が予め定められた範囲に収まっているか否かの判定を実行する判定部（７６ａ）と、
をさらに備える、動作確認用装置。
【請求項３】
請求項２に記載の動作確認用装置において、
取得された前記電駆動システムの前記出力値と、前記判定の実行結果と、のうちの少なくとも一方を、外部に出力するためのインターフェイス部（７５）を、さらに備える、動作確認用装置。
【請求項４】
請求項２または請求項３に記載の動作確認用装置において、
前記出力値には、前記モータの推力に関連する推力関連値が含まれ、
前記推力関連値を測定する推力関連値センサを、さらに備え、
前記取得部は、前記推力関連値センサから前記推力関連値を取得する、動作確認用装置。
【手続補正２】
【補正対象書類名】明細書
【補正対象項目名】０００６
【補正方法】変更
【補正の内容】
【０００６】
本開示の一形態によれば、動作確認用装置（７０）が提供される。この動作確認用装置は、電動垂直離着陸機（１００）に搭載されている電駆動システム（１０）の動作確認用装置であって、前記電駆動システムは、前記電動垂直離着陸機が有する回転翼を駆動させるモータを含み、前記動作確認用装置は、地面との固定部（７１）と、前記電駆動システムと直接的に又は前記電動垂直離着陸機の機体（２０）を介して間接的に連結するための連結部（７２）と、地面との固定位置を調整するための位置調整部（７８）と、を備え、前記位置調整部は、車輪とストッパーとを有するキャスターにより構成され、前記車輪を回転させて前記固定位置を調整し、前記ストッパーにより前記車輪の回転を止めることによって、前記動作確認用装置を地面に固定する。